(57)【要約】【課題】遊戯施設等において、所定方向に通行する人を計数する。【解決手段】人が通過する測定部と、前記通路部への人の進入を検知する進入検知センサ５と、前記測定部からの人の通過を検知する通過検知センサ６と、前記進入検知センサ５によって前記測定部に進入した人を検知した場合に、滞留しているとみなされる人数をひとり増やし、前記通過検知センサ６によって前記測定部からの人の通過を検知した場合に、前記測定部内に滞留しているとみなされる人数をひとり減らすとともに前記測定部を通過したとみなされる人数をひとり増やす計数部７ａとを備える。【選択図】    図３
2005031998.tif 000002
【特許請求の範囲】
【請求項１】
人が通過する測定部と、
前記測定部への人の進入を検知する進入検知センサと、
前記測定部からの人の通過を検知する通過検知センサと、
前記進入検知センサによって前記測定部に進入した人を検知した場合に、滞留しているとみなされる人数をひとり増やし、前記通過検知センサによって前記測定部からの人の通過を検知した場合に、前記測定部内に滞留しているとみなされる人数をひとり減らすとともに前記測定部を通過したとみなされる人数をひとり増やす計数部と
を備える通行人数計数装置。
【請求項２】
前記計数部は、前記測定部内に滞留しているとみなされる人数が所定人数を上回った場合に、前記測定部内に滞留しているとみなされる人数を初期値に戻す請求項１記載の通行人数計数装置。
【請求項３】
前記計数部は、前記測定部内に滞留しているとみなされる人数を初期値に戻す請求項１また２記載の通行人数計数装置。
【発明の詳細な説明】
【０００１】
【発明の属する技術分野】
本発明は、施設等において、所定方向に通行する人を計数する通行人数計数装置に関するものである。
【０００２】
【従来の技術】
一般に、遊園地、劇場、駅等の施設において利用者の数を数える際には、施設に設置されている通行人数計数装置が用いられている。従来の通行人数計数装置としては、不正通行者の出入りを防止するために設けられたフラッパと、進入した人を検知する進入検知センサと、退場した人を検知する通過検知センサと、通過検知センサの検知結果に基づき、通行人数を計数する制御部とを備えた入退場ゲート装置がある（例えば、特許文献１参照）。
【０００３】
【特許文献１】
特開平１１−３３９０８１号公報（段落番号００１０〜００１２、第１図）
【０００４】
【発明が解決しようとする課題】
ところで、上記従来の入退場ゲート装置においては、入退場ゲート装置に進入した通行者を進入検知センサで検知すると、制御部がその出力に基づいてフラッパを開放させて通行者が退場可能な状態とする。また、通過検知センサが通過を検知すると、制御部がその出力に基づいてフラッパを閉塞させて通行不可能な状態とし、かつ通過したとみなされる人数を増やす。しかし、この従来の入退場ゲート装置では、通行者を検知する手段が１つの通過検知センサであるため、通行者の通路内での前後歩行により、通過検知センサが同一人物の通過を複数回検知してしまう場合や、いたずら等により通過検知センサに手をかざした場合等においても、制御部が、誤った通過検知センサの出力に基づいて通過人数を計数してしまい、通過した人数を正確にすることができないという問題があった。
【０００５】
この発明は、このような事情を考慮してなされたもので、通過したとみなされる人数を誤って数えること防止し、通過したとみなされる人数を正確にすることを目的とする。
【０００６】
【課題を解決するための手段】
この発明は、上記課題を解決するため、以下の手段を採用する。
請求項１に係る発明は、人が通過する測定部と、前記測定部への人の進入を検知する進入検知センサと、前記測定部からの人の通過を検知する通過検知センサと、前記進入検知センサによって前記測定部に進入した人を検知した場合に、滞留しているとみなされる人数をひとり増やし、前記通過検知センサによって前記測定部からの人の通過を検知した場合に、前記測定部内に滞留しているとみなされる人数をひとり減らすとともに前記測定部を通過したとみなされる人数をひとり増やす計数部とを備えることを特徴とする。
【０００７】
この発明によれば、計数部は、進入検知センサで測定部に進入した人を検知し、その出力に基づいて、滞留しているとみなされる人数をひとり増やす。また、通過検知センサの出力に基づいて、滞留しているとみなされる人数をひとり減らし、通過しているとみなされる人数をひとり増やし、この増やした計数結果を出力する。これにより、進入検知センサと通過検知センサの２つの出力により、通過したとみなされる人数を増やすため、通過したとみなされる人数を誤って増やすことが防止され、正確な計数が可能となるものである。
【０００８】
請求項２に係る発明は、前記測定部内に滞留しているとみなされる人数が所定人数を上回った場合に、前記測定部内に滞留しているとみなされる人数を初期値に戻すことを特徴とする。
【０００９】
この発明によれば、測定部内に滞留しているとみなされる人数に上限値を設定しており、滞留しているとみなされる人数が所定人数を上回った場合には、計数部は、滞留しているとみなされる人数を初期値に戻し、通過したとみなされる人数を誤って増やすことが防止され、正確な計数が可能となるものである。
【００１０】
請求項３に係る発明は、前記測定部内に滞留しているとみなされる人数を初期値に戻すことを特徴とする。
【００１１】
この発明によれば、測定部内に滞留しているとみなされる人数が、実際の滞留人数と異なる場合に、計数部で計数された滞留しているとみなされる人数を初期値に戻し、通過したとみなされる人数を誤って増やすことが防止され、正確な計数可能となるものである。
【００１２】
【発明の実施の形態】
以下、この発明の実施の形態について、図面を参照して説明する。
図１から図４は、この発明を退場ゲート装置に適用したものである。図１、図２において、退場ゲート装置（通行人数計数装置）１は、例えば遊園地等の施設において入場者が退場する際の退場通路の一部に設けられたものであって、並行状態に設けられた複数のゲート本体２Ａ，２Ｂ，２Ｃで構成されている。各ゲート本体２Ａ，２Ｂ，２Ｃ内は、所定の幅を有する通路となっており、人が通過する測定部３を構成している。図において、矢印Ａは、通行者が測定部３を通行する所定方向を示している。
【００１３】
ゲート本体２Ａ側面には、開閉動作を行うフラッパ４と、通行方向上流に位置し、４つの滞留検知センサ（進入検知センサ）５と、通行方向下流に位置し、４つの通過検知センサ６とが設けられている。上記の滞留検知センサ５と通過検知センサ６は、ゲート本体２Ｂのゲート本体２Ａと対向する側面に設けられた、図示しない対応するセンサとともに、光の送受信によって、通行人の通過を検知するものである。また、ゲート本体２Ａ内部には、図３に示す制御部７が備えられており、制御部７は、滞留検知センサ５と通過検知センサ６の検知結果に基づいて計数を行う計数部７ａを備えている。
【００１４】
フラッパ４は、軸線Ｏを中心として矢印Ｐ１，Ｐ２方向に回動するようになっている。測定部３を開放した状態において、フラッパ４の先端はＰ１に位置するようになり、測定部３を閉塞した状態において、フラッパ４の先端はＰ２に位置するようになる。滞留検知センサ５は、退場ゲート装置１を矢印Ａ方向に進入してきた通行者を検知し、検知結果を計数部７ａに出力するものであり、通過検知センサ６は、退場ゲート装置１を矢印Ａ方向に通過する通行者を検知し、検知結果を計数部７ａに出力するものである。
【００１５】
ゲート本体２Ａ上部には、警告表示灯８が設けられており、ゲート本体２Ａ内部には、図３に示す警報ブザー９と、リセットボタン１０とが備えられている。警告表示灯８は、通行人の検知が誤って行われた場合に、点灯して周囲に知らせるものであり、警報ブザー９は、通行人の検知が誤って行われた場合に、警報音を発し周囲に知らせるものである。また、リセットボタン１０は、誤って、滞留しているとみなす人数を計数部７ａが計数した場合等に、滞留しているとみなされる人数を初期値に戻すための手段である。
【００１６】
図３に示すように、制御部７は、滞留検知センサ５の検知結果に基づいて、フラッパ４を開放し、通過検知センサ６の検知結果に基づいて、フラッパ４を閉塞する。制御部７の計数部７ａは、滞留検知センサ５が人を検知した場合に、出力に基づいて滞留しているとみなされる人数をひとり増やすとともに、通過検知センサ５によって人の通過を検知した場合に、測定部３に滞留しているとみなされる人数をひとり減らし、通過したとみなされる人数をひとり増やす。
【００１７】
また、通過検知センサ５および、滞留検知センサ６が測定部３内で不正進入者を検知した場合に、制御部７は、出力に基づいて警報ブザー９に警告音を鳴らさせ、かつ警告表示灯８を点灯させる機能を有するものである。また、制御部７は、リセットボタン１０の操作により、滞留しているとみなされる人数を初期値に戻す機能を有するものである。
【００１８】
次に、上記の構成からなる退場ゲート装置１の通行人数計数装置の実施について説明する。
フローチャートにおいて、Ｎは滞留しているとみなされる人数の変数、Ｍは通過したとみなされる人数の変数、Ｎｍａｘは任意に与えられた滞留しているとみなされる人数の上限値を示す。初期状態においてＮおよびＭは０とし、Ｎｍａｘには任意の値を与える。
【００１９】
通行者が、退場ゲート装置１の測定部３に進入すると、滞留検知センサ５が検知を行う（ステップ１０１）。滞留検知センサ５の出力に基づいて、計数部７ａは、滞留しているとみなされる人数をひとり増やす。すなわち、フローチャートではＮに１を加算する（ステップ１０２）。また、制御部７は、フラッパ４を開放させ、通行可能な状態とする。
続いて、滞留しているとみなされる人数が任意に与えられた滞留しているとみなされる人数の上限値を超えていないかを判定する（ステップ１０３）。すなわち、フローチャートにおいては、ＮがＮｍａｘを超えていなければステップ１０４に移行し、ＮがＮｍａｘを超えているならば、滞留検知センサ５が前後歩行またはいたずら等を誤って検知したと判断して、Ｎを初期値０に戻し（ステップ１０８）、ステップ１０７に移行する。
【００２０】
通行者が測定部３を通過し、通過検知センサ６が検知行うと（ステップ１０４）、計数部７ａは、出力に基づいて滞留しているとみなされる人数が加算されているか否かを判定する（ステップ１０５）。滞留しているとみなされる人数が加算されているならば、滞留しているとみなされる人数をひとり減算し、通過したとみなされる人数をひとり加算する（ステップ１０６）。また、制御部７はフラッパ４を閉塞させて、測定部３を通行不可能な状態とする。
【００２１】
通行者が、退場ゲート装置３を逆方向から進入してきた場合には、通過検知センサ６が検知を行い、その検知結果を計数部７ａに出力するが、計数部７ａは、滞留しているとみなされる人数がいないため、通過したとみなされる人数を増やさない。すなわち、フローチャートにおいては、滞留検知がない（ステップ１０１）ため、ステップ１０４に移行するが、通過検知はあるためステップ１０５に移行する。しかし、滞留しているとみなされる人数Ｎが加算されていないため、ステップ１０７に移行し、通過したとみなされる人数を誤って増やすことを防止するとともに、警告表示灯８を点灯させ、かつ警報ブザー９により警告音を発して周囲に不正進入者の存在を知らせる。
【００２２】
また、いたずら等により滞留したとみなされる人数が増やされてしまった場合に、計数部７ａは、設定された滞留しているとみなされる人数の上限値を超えると、計数された滞留しているとみなされる人数を初期値に戻すので、通過したとみなされる人数を誤って増やすことはない。すなわち、フローチャートにおいては、滞留検知があるため（ステップ１０１）ステップ１０３に移行する。しかし、Ｎが上限値Ｎｍａｘを超えるため（ステップ１０３）、ステップ１０８に移行してＮ＝０としてステップ１０７に移行し、通過したとみなされる人数を誤って増やすことを防止する。
【００２３】
さらに、退場ゲート装置１において通行者が前後歩行やいたずらを行い、滞留検知センサ５が検知し、その出力に基づいて、計数部７ａが滞留しているとみなされる人数を増やしてしまった場合には、リセットボタン１０を操作することにより、Ｎ＝０とし、通過したとみなされる人数を誤って増やすことを防止する。
【００２４】
このように、本実施の形態においては、滞留検知センサ５を設け、計数部７ａが通過したとみなされる人数のほかに滞留しているとみなされる人数も演算を行うため、通過したとみなされる人数を正確に数えることができる。また、退場ゲート装置１において通行者が前後歩行やいたずらを行い、滞留検知センサ５が検知して滞留しているとみなされる人数を加算してしまった場合に、リセットボタン１０を操作することで、外部から滞留しているとみなされる人数を初期値に戻すことができ、通過したとみなされる人数を誤って増やすことを防止することができるので、通過したとみなされる人数を正確に数えることができる。
【００２５】
計数部７ａは、滞留しているとみなされる人数の上限値を設定しておくことにより、通行者の前後歩行またはいたずら等により、滞留しているとみなされる人数が上限値に達した場合においても、滞留しているとみなされる人数を初期値に戻すことができるので、通過したとみなされる人数を誤って増やすことを防止することができ、通過したとみなされる人数を正確に計数することができる。
【００２６】
なお、本実施の形態においては、退場ゲート装置１に適用した場合について説明したが、これに限るものではなく、たとえば、施設等の入退場ゲートや駅の自動改札機、動く歩道等にも適用可能である。
また、本実施の形態のおいては、滞留検知センサ５および通過検知センサ６の設置を４つとしたのは、検知精度をより高めるためであり、これに限るものではない。
【００２７】
また、本実施の形態では滞留しているとみなされる人数を初期値に戻す方法として、リセットボタン１０を用いたが、これに限るものではない。例えば、４つ設置された滞留検知センサ５を用いて、通行方向を逆に検知、つまり通行人が前後歩行等した場合には、計数部７ａは滞留しているとみなされる人数を初期値に戻してもよい。その他にも、計数部７ａが滞留検知センサ５と通行検知センサ６の間を通過する時間を設定し、滞留検知センサ５に検知があっても、その設定時間内に通過検知センサ６が検知しないならば、滞留しているとみなされる人数を初期値に戻してもよい。
【００２８】
なお、上記の退場ゲート装置１において、ゲート本体２Ａ下方に進入検知センサを設けて、その出力に基づいて、フラッパ４を開放させてもよい。
【００２９】
【発明の効果】
以上説明したこの発明の通行人数計数装置においては、以下の効果を奏する。請求項１に係る発明によれば、制御部は、進入検知センサで測定部に進入した人を検知し、その出力に基づいて、滞留しているとみなされる人数をひとり増やす。また、通過検知センサの出力に基づいて、滞留しているとみなされる人数をひとり減らし、通過しているとみなされる人数をひとり増やし、この増やした計数結果を出力する。これにより、進入検知センサと通過検知センサの２つの出力により、通過したとみなされる人数を増やすため、通過したとみなされる人数を誤って増やすことを防止するので、通過したとみなす人数を正確に計数することができる。
【００３０】
請求項２に係る発明によれば、測定部内に滞留しているとみなされる人数に上限値を設定しており、滞留しているとみなされる人数が所定人数を上回った場合には、制御部は、滞留しているとみなされる人数を初期値に戻し、通過したとみなされる人数を誤って増やすことを防止するので、通過したとみなす人数を正確に数えることができる。
【００３１】
請求項３に係る発明によれば、測定部内に滞留しているとみなされる人数が、実際の滞留人数と異なる場合に、制御部で計数された滞留しているとみなされる人数を初期値に戻し、通過したとみなされる人数を誤って増やすことを防止するので、通過したとみなす人数を正確に計数することができる。
【図面の簡単な説明】
【図１】この発明における実施の形態に係る退場ゲート装置の全体図である。
【図２】この発明における実施の形態に係る退場ゲート装置の要部をＩ−Ｉ面から見た側面図である。
【図３】退場ゲート装置の制御部の構成を示すブロック図である。
【図４】退場ゲート装置の制御部の通過人数計数方法を示すフローチャートである。
【符号の説明】
１    退場ゲート装置（通行人数計数装置）
３    測定部
５    滞留検知センサ（進入検知センサ）
６    通過検知センサ
７ａ  計数部
【図１】
2005031998.tif 000003
【図２】
2005031998.tif 000004
【図３】
2005031998.tif 000005
【図４】
2005031998.tif 000006